(57)【特許請求の範囲】
【請求項１】
前面及び後面のほか一側面が開口した陳列室が上方に画成され、内部に導入した空気との間で熱交換する熱交換器を収容した基台を備えたラウンド型オープンショーケースにおいて、前記陳列室の一側面と同一方向に面する基台の一側面に空気を導入するための吸気口を設けるとともに、前記陳列室の前面と同一方向に面する基台の前面の左寄りと前記陳列室の後面と同一方向に面する基台の後面の左寄りとに空気を排出させるための排気口を設ける一方、排気口を閉塞する閉塞パネルを前記基台の前面および後面の両方に設けた排気口のいずれか一方に選択的に取り付けたことを特徴とするラウンド型オープンショーケース。
【請求項２】
前面及び後面のほか一側面が開口した陳列室が上方に画成され、内部に導入した空気との間で熱交換する熱交換器を収容した基台を備えたラウンド型オープンショーケースにおいて、前記陳列室の一側面と同一方向に面する基台の一側面に空気を導入するための吸気口を設けるとともに、前記陳列室の前面と同一方向に面する基台の前面の左寄りと前記陳列室の後面と同一方向に面する基台の後面の左寄りとに空気を排出させるための排気口を設ける一方、前記排気口を閉塞するシャッター形式のパネルを前記基台の前面および後面の両方に設けた排気口に取り付け、いずれか一方の排気口を閉塞する一方、いずれか他方の排気口を開放することを特徴とするラウンド型オープンショーケース。
【発明の詳細な説明】
【技術分野】
【０００１】
本発明は、陳列室の前面及び後面のほか、一側面が開口したラウンド型オープンショーケースに関するものであって、特に、熱交換することにより冷却した空気を循環させ、商品を冷蔵した状態で収容するラウンド型オープンショーケースに関するものである。
【背景技術】
【０００２】
陳列室の前面及び後面のほか、一側面が開口したラウンド型オープンショーケースが広く知られている。ラウンド型オープンショーケースは、陳列室を支持する基台の内部に熱交換器を備え、前面に設けられた吸気口から導入した空気との間で熱交換した後、後面に設けられた排気口から空気を排出するようになっている（例えば、特許文献１参照）。
【０００３】
ラウンド型オープンショーケースは、店舗、倉庫等において、壁から離隔した状態で設置されるのが一般的であって、単独で設置される場合ばかりでなく、二つを組み合わせて設置される場合がある。
【０００４】
このようにラウンド型オープンショーケースを二つ組み合わせて設置すると、図５に示すように、一方のラウンド型オープンショーケース１０１の後面に設けられた排気口から排出された空気（熱交換することにより温められた空気）がそのまま他方のラウンド型オープンショーケース１０１の前面に設けられた吸気口に回り込んで供給されることになり、効率的な熱交換を阻害することになる。
【０００５】
このような問題を回避すべく、排気空気流を通路の床面側に向けて下側に偏向させる風向板を設けたキックプレートや、排気空気流をショーケースの前面通路に向けて左右いずれかの方向に反らせるように偏向させる風向板を設けたキックプレートを排気口に取り付けたオープンショーケースが提案されている（例えば、特許文献２参照）。
【０００６】
【特許文献１】特開２００５−１６４１６８号公報
【特許文献２】特開平９−４２８２１号公報
【発明の開示】
【発明が解決しようとする課題】
【０００７】
しかしながら、上述したキックプレートを排気口に取り付けたオープンショーケースでは、効率が幾分か改善されるものの、一方のオープンショーケースの前面に設けられた排気口から排出された空気が他方のオープンショーケースの前面に設けられた吸気口に回り込む事態を解消するものではないため、十分に効率的な熱交換とはなっていなかった。
【０００８】
本発明は、上記実情に鑑みて、二つ組み合わせて設置する場合であっても、一方の排気口から排出された空気が他方の吸気口に回り込む事態を回避できるラウンド型オープンショーケースを提供することを目的とする。
【課題を解決するための手段】
【０００９】
上記の目的を達成するために、本発明は、前面及び後面のほか一側面が開口した陳列室が上方に画成され、内部に導入した空気との間で熱交換する熱交換器を収容した基台を備えたラウンド型オープンショーケースにおいて、前記陳列室の一側面と同一方向に面する基台の一側面に空気を導入するための吸気口を設けるとともに、前記陳列室の前面と同一方向に面する基台の前面の左寄りと前記陳列室の後面と同一方向に面する基台の後面の左寄りとに空気を排出させるための排気口を設ける一方、排気口を閉塞する閉塞パネルを前記基台の前面および後面の両方に設けた排気口のいずれか一方に選択的に取り付けたことを特徴とする。
【００１０】
また、本発明は、前前面及び後面のほか一側面が開口した陳列室が上方に画成され、内部に導入した空気との間で熱交換する熱交換器を収容した基台を備えたラウンド型オープンショーケースにおいて、前記陳列室の一側面と同一方向に面する基台の一側面に空気を導入するための吸気口を設けるとともに、前記陳列室の前面と同一方向に面する基台の前面の左寄りと前記陳列室の後面と同一方向に面する基台の後面の左寄りとに空気を排出させるための排気口を設ける一方、前記排気口を閉塞するシャッター形式のパネルを前記基台の前面および後面の両方に設けた排気口に取り付け、いずれか一方の排気口を閉塞する一方、いずれか他方の排気口を開放することを特徴とする。
【発明の効果】
【００１２】
本発明に係るラウンド型オープンショーケースは、陳列室の一側面と同一方向に面する基台の一側面に空気を導入するための吸気口を設けるとともに、前記陳列室の前面と同一方向に面する基台の前面の左寄りと前記陳列室の後面と同一方向に面する基台の後面の左寄りとに空気を排出させるための排気口を設ける一方、排気口を閉塞する閉塞パネルを前記基台の前面および後面の両方に設けた排気口のいずれか一方に選択的に取り付けたので、二つのラウンド型オープンショーケースを組み合わせた状態で設置しても、一方のラウンド型オープンショーケースの排気口から排出された空気が他方のラウンド型オープンショーケースの吸気口に回り込む事態を回避でき、熱交換器が導入した空気との間で効率的に熱交換を行うことができる。
【発明を実施するための最良の形態】
【００１３】
以下に添付図面を参照して、本発明に係るラウンド型オープンショーケースの好適な実施の形態を詳細に説明する。なお、この実施の形態によりこの発明が限定されるものではない。
【００１４】
図１は本発明の実施の形態であるラウンド型オープンショーケースの正面図、図２は図１に示したラウンド型オープンショーケースの側面図である。
【００１５】
図１及び図２に示すように、本発明の実施の形態であるラウンド型オープンショーケース１は、前面及び後面のほか一側面（図１において右側面）が開口した陳列室２を有したショーケースであって、基台３の上方に陳列室２が画成される。
【００１６】
基台３は、鋼材を適宜折り曲げることにより構成してあり、陳列室２の一側面と同一方向に面する一側面（図１において右側面、図２において正面）に吸気口が開口している。図２に示すように、この吸気口を覆うように、吸気パネル３１が基台３に取り付けてある。吸気パネル３１は、矩形の板状体であって、縦長の吸気穴３１ａが複数形成してある。外部の空気は、吸気パネル３１に形成した吸気穴３１ａから基台３の内部に導入されることになる。
【００１７】
また、基台３は、陳列室２の前面と同一方向に面する前面の左寄り（図１において正面左寄り）と陳列室２の後面と同一方向に面する後面の左寄りとに排気口が開口している。図１に示すように、この前面に形成した排気口を覆うように、排気パネル３２が取り付けてある。排気パネル３２は、上下及び左右が対称となる矩形の板状体であって、縦長の排気穴３２ａが複数形成してある。基台３の内部の空気は、排気パネル３２に形成した排気穴３２ａから外部に排出されることになる。また、これら排気穴３２ａに沿って、風向板（図示せず）が配設してあり、基台３の内部から外部に排出される空気は、風向板に案内され、図１において手前側左方に排出されるようになっている。
【００１８】
また、上述した後面に形成した排気口（図示せず）を覆うように、閉塞パネル（図示せず）が取り付けてある。閉塞パネルは、排気パネル３２と同一の外形をした矩形の板状体であって、基台３の内部の空気と外部の空気とは、この閉塞パネルによって遮断されることになる。
【００１９】
排気パネル３２と閉塞パネルとは交換して取り付けることが可能であって、上述したように、前面に形成した排気口に排気パネル３２を、後面に形成した排気口に閉塞パネルを取り付けた場合には、一側面から導入された空気は前面から排出されることになり、前面に形成した排気口に閉塞パネルを、後面に形成した排気口に排気パネル３２を取り付けた場合には、一側面から導入された空気は後面から排出されることになる。
【００２０】
基台３の内部には、冷凍サイクルを構成する凝縮器３３、圧縮機３４のほか、庫外ファン３５が配設してある。より具体的には、図１に示すように、一側面に形成した吸気口から奥方（図１において右側から左側）に向けて、凝縮器３３、庫外ファン３５、圧縮機３４が順番に配設してある。凝縮器３３は、圧縮機３４において圧縮され、高温高圧となった冷媒ガスを凝縮させることにより、冷媒ガスが液化（冷媒液に変換）するように構成されている（このとき、周囲の空気は温められる）。庫外ファン３５は、吸気パネル３１に形成した吸気穴３１ａから空気を導入するとともに、排気パネル３２に形成した排気穴３２ａから空気を排出するものであり、庫外ファン３５を稼働させると、外部の空気が吸気穴３１ａから導入され、凝縮器３３、庫外ファン３５、圧縮機３４の近傍を通って、排気穴３２ａから排出されることになる。
【００２１】
図１に示すように、基台３には、側板４が立設してあり、基台３の上方に画成される陳列室２の他側面（図１において左側面）を閉塞するようになっている。また、基台３には、平面視Ｔ字状を呈する壁部材５が立設してあり、基台３の上方に画成される陳列室２を前方領域、後方領域、側方領域に区画している。このように、前方領域、後方領域、側方領域を画成する壁部材５の内部には、下方部と上方部とが開口する通風ダクト５１，５２，５３が領域ごとに設けてある。したがって、前方領域の下方部から供給された空気は前方領域の上方部から排出されることになり、後方領域の下方部から供給された空気は後方領域の上方部から排出されることになる。また、側方領域の下方部から供給された空気は側方領域の上方部から排出されることになる。
【００２２】
基台３の上面には、領域ごとに、蒸発器２１及び庫内ファン２２が配設してある。蒸発器２１は、上述した凝縮器３３及び圧縮機３４とともに冷凍サイクルを構成するものであって、冷媒液が蒸発することにより、周囲から蒸発熱を奪い周囲の空気を冷却するように構成されている。庫内ファン２２は、冷却された空気を循環させるためのもので、庫内ファン２２を稼働すると、蒸発器２１に空気が供給されるようになっている。
【００２３】
これら、前方領域、後方領域、側方領域の底部には、それぞれパネル２３が取り付けてある。パネル２３は、各領域において、蒸発器２１及び庫内ファン２２を覆うとともに、基台３の周縁、すなわち、前方領域の前縁、後方領域の前縁、側方領域の前縁において吸込口２３ａが開口し、後縁において各通風ダクト５１，５２，５３に連通するようになっている。したがって、庫内ファン２２を稼働すると、吸込口２３ａから空気が導入され、蒸発器２１において冷却された後、通風ダクト５１，５２，５３に供給されるようになっている。
【００２４】
また、各領域を画成する壁部材５には、領域ごとに複数段の商品陳列棚２４が取り付けてある（図１及び図２に示す例では、各領域に各三段の商品陳列棚２４が取り付けてある）。また、各領域を画成する壁部材５には、それぞれ通風口５１ａが設けてある。各通風口５１ａは、上述した各通風ダクト５１に連通するように形成してあり、商品陳列棚２４に陳列された商品は、通風口５１ａから供給された冷気（空気）によって冷蔵されるようになっている。
【００２５】
また、側板４と壁部材５とが天蓋６を支持するように取り付けてある。天蓋６は、陳列室２の天井を成すものであり、内部に三つの天井ダクトが画成されている。各天井ダクトは、一端が壁部材の内部に画成された各通風ダクト５１，５２，５３に連通する一方、他端が天蓋６の周縁、すなわち、前方領域の前縁、後方領域の前縁、側方領域の前縁に開口した吐出口６１に連通するようになっている。したがって、通風ダクト５１，５２，５３から供給された空気は、吐出口６１から吐出され、その後、上述した吸込口２３ａから吸い込まれることになり、各領域の前面にはエアカーテン６２が生成されることになる。
【００２６】
上述した実施の形態であるラウンド型オープンショーケース１を稼働すると、吸気パネル３１に形成した吸気穴３１ａから空気が導入され、凝縮器３３、庫外ファン３５、圧縮機３４の近傍を通って、排気パネル３２に形成した排気穴３２ａから排出される。ここで、凝縮器３３の周りに凝縮熱が放出されるので、凝縮器３３を通った空気は温められて排出されることになる。
【００２７】
一方、陳列室２では、吸込口２３ａから空気が導入され、庫内ファン２２、蒸発器２１、通風ダクト５１，５２，５３、天井ダクトを通って、天蓋６に開口した吐出口６１から吐出され、前方領域、後方領域、側方領域の前面にエアカーテン６２を生成することになる。ここで、蒸発器２１の周りから蒸発熱を奪うので、蒸発器２１を通った空気は冷却されて循環することになり、陳列室２の内部を冷却状態にすることができる。
【００２８】
上述した実施の形態であるラウンド型オープンショーケース１は、図３に示すように、二つを組み合わせた状態で設置しても、それぞれラウンド型オープンショーケース１の一側面から空気が導入され、後面（図３において上方）から空気が排出されるので、一方のラウンド型オープンショーケース１の排気口から排出された空気が他方のラウンド型オープンショーケース１の吸気口に回り込む事態を回避でき、凝縮器３３が導入した空気との間で効率的に熱交換を行うことができる（凝縮熱を効率的に放出できる）。
【００２９】
ここで、図３において左側に配置したラウンド型オープンショーケース１は、上述した実施の形態であるラウンド型オープンショーケース１の後面に形成した排気口に排気パネル３２を取り付けるとともに前面に形成した排気口に閉塞パネルを取り付けたものであって、上述した実施の形態であるラウンド型オープンショーケース１と異なるものを設置したわけではない。
【００３０】
また、排気パネル３２と閉塞パネルとは交換して取り付けることが可能であるために、前面に形成した排気口と後面に形成した排気口の何れかを選択して一方に排気パネルを取り付け、他方に閉塞パネルを取り付けることができる。
【００３１】
したがって、図４に示すように、店舗、倉庫等において、壁面に沿って壁面冷蔵ショーケースが配設してあり、ラウンド型オープンショーケース１を境にして反対側に常温の商品を陳列するゴンドラが配設してある場合には、ゴンドラ側に空気を排出するようにすることができる。
【００３２】
上述した実施の形態であるラウンド型オープンショーケース１は、前面に形成した排気口と後面に形成した排気口の何れかを選択して一方に排気パネル３２を取り付け、他方に閉塞パネルを取り付けるようにしたが、前面に形成した排気口及び後面に形成した排気口に開閉可能なシャッター形式のパネルを取り付け、一方を開放し他方を閉塞するものとしても良い。
【図面の簡単な説明】
【００３３】
【図１】本発明の実施の形態であるラウンド型オープンショーケースの正面図である。
【図２】図１に示したラウンド型オープンショーケースの側面図である。
【図３】図１に示したラウンド型オープンショーケースを二つ組み合わせて設置した状態を示すレイアウト図である。
【図４】図１に示したラウンド型オープンショーケースを設置した店舗のレイアウト図である。
【図５】周知となっているラウンド型オープンショーケースを二つ組み合わせて設置した状態を示すレイアウト図である。
【符号の説明】
【００３４】
１    ラウンド型オープンショーケース
２    陳列室
２１    蒸発器
２２    庫内ファン
２３    パネル
２３ａ    吸込口
２４    商品陳列棚
３    基台
３１    吸気パネル
３１ａ    吸気穴
３２    排気パネル
３２ａ    排気穴
３３    凝縮器
３４    圧縮機
３５    庫外ファン
４    側板
５    壁部材
５１，５２，５３    通風ダクト
５１ａ    通風口
６    天蓋
６１    吐出口
６２    エアカーテン
【図１】
0005136028.tif 000002
【図２】
0005136028.tif 000003
【図３】
0005136028.tif 000004
【図４】
0005136028.tif 000005
【図５】
0005136028.tif 000006